(57)【特許請求の範囲】
【請求項１】
操作キーを有するキーシートと、当該キーシートよりも高い剛性を有する平板状の補強パネルと、光を発する発光手段と、を備え、
前記補強パネルは、
前記キーシートの前記操作キーが配置された面と逆側から当該キーシートと重なるように配置されるとともに、前記操作キーが押し込まれる方向への当該操作キーの移動を許容する操作キー用貫通孔と、前記発光手段の少なくとも一部を収容する導光用貫通孔と、が形成され、前記導光用貫通孔は長方形であり、前記操作キー用貫通孔に挟まれるように配置され、前記操作キー用貫通孔の枠の一部が前記導光用貫通孔の周囲に位置する各辺に連結するよう形成されたキーシート・モジュール。
【請求項２】
請求項１に記載のキーシート・モジュールであって、
前記補強パネルは、光を拡散する部材からなるキーシート・モジュール。
【請求項３】
請求項１又は請求項２に記載のキーシート・モジュールであって、
前記補強パネルは、光を透過する部材からなるキーシート・モジュール。
【請求項４】
請求項１乃至請求項３のいずれか一項に記載のキーシート・モジュールであって、
前記キーシートは、前記操作キーを複数有し、
前記補強パネルは、前記キーシートのうちの、前記操作キー間の部分と接するように形成されるキーシート・モジュール。
【請求項５】
請求項１乃至請求項４のいずれか一項に記載のキーシート・モジュールであって、
前記補強パネルは、合成樹脂からなるキーシート・モジュール。
【請求項６】
請求項１乃至請求項５のいずれか一項に記載のキーシート・モジュールであって、
前記補強パネルは、ポリカーボネートを主成分とする材料からなるキーシート・モジュール。
【請求項７】
請求項１乃至請求項６のいずれか一項に記載のキーシート・モジュールであって、
前記補強パネルは、ポリエチレンテレフタラートを主成分とする材料からなるキーシート・モジュール。
【請求項８】
請求項１乃至請求項７のいずれか一項に記載のキーシート・モジュールであって、
前記キーシートは、エラストマーからなるキーシート・モジュール。
【請求項９】
請求項１乃至請求項８のいずれか一項に記載のキーシート・モジュールであって、
前記補強パネルは、両面テープにより前記キーシートに固着されるキーシート・モジュール。
【請求項１０】
請求項１乃至請求項９のいずれか一項に記載のキーシート・モジュールであって、
前記補強パネルは、接着剤により前記キーシートに固着されるキーシート・モジュール。
【請求項１１】
操作キーを有するキーシートよりも高い剛性を有し、且つ、平板状であり、
前記キーシートの前記操作キーが配置された面と逆側から当該キーシートと重なるように配置されるとともに、前記操作キーが押し込まれる方向への当該操作キーの移動を許容する操作キー用貫通孔と、光を発する発光手段の少なくとも一部を収容する導光用貫通孔と、が形成され、前記導光用貫通孔は長方形であり、前記操作キー用貫通孔に挟まれるように配置され、前記操作キー用貫通孔の枠の一部が前記導光用貫通孔の周囲に位置する各辺に連結するよう形成された補強パネル。
【請求項１２】
請求項１１に記載の補強パネルであって、
光を拡散する部材からなる補強パネル。
【請求項１３】
請求項１１又は請求項１２に記載の補強パネルであって、
光を透過する部材からなる補強パネル。
【請求項１４】
操作キーを有するキーシートと、当該キーシートよりも高い剛性を有する平板状の補強パネルと、光を発する発光手段と、を備えるキーシート・モジュールを有し、
前記補強パネルは、
前記キーシートの前記操作キーが配置された面と逆側から当該キーシートと重なるように配置されるとともに、前記操作キーが押し込まれる方向への当該操作キーの移動を許容する操作キー用貫通孔と、前記発光手段の少なくとも一部を収容する導光用貫通孔と、が形成され、前記導光用貫通孔は長方形であり、前記操作キー用貫通孔に挟まれるように配置され、前記操作キー用貫通孔の枠の一部が前記導光用貫通孔の周囲に位置する各辺に連結するよう形成された電子機器。
【請求項１５】
請求項１４に記載の電子機器であって、
前記補強パネルは、光を拡散する部材からなる電子機器。
【請求項１６】
請求項１４又は請求項１５に記載の電子機器であって、
前記補強パネルは、光を透過する部材からなる電子機器。
【請求項１７】
操作キーを有するキーシートと、当該キーシートよりも高い剛性を有する平板状の補強パネルと、光を発する発光手段と、を備えるとともに、
前記補強パネルが、前記キーシートの前記操作キーが配置された面と逆側から当該キーシートと重なるように配置され、
前記操作キーが押し込まれる方向への当該操作キーの移動を許容する操作キー用貫通孔と、前記発光手段の少なくとも一部を収容する導光用貫通孔と、が前記補強パネルに形成され、前記導光用貫通孔は長方形であり、前記操作キー用貫通孔に挟まれるように配置され、前記操作キー用貫通孔の枠の一部が前記導光用貫通孔の周囲に位置する各辺に連結するよう形成されたキーシート・モジュールに適用され、
前記発光手段が光を発し、
前記発光手段により発せられた光が、前記導光用貫通孔を形成する壁面から前記補強パネルに入射し、
前記補強パネルに入射した光が、当該補強パネル内を拡散する、導光方法。
【発明の詳細な説明】
【技術分野】
【０００１】
本発明は、複数の操作キーを有するキーシートと、補強パネルと、を備えるキーシート・モジュールに関する。
【背景技術】
【０００２】
複数の操作キーを有するキーシートと、キーシートよりも高い剛性を有する補強パネルと、を備えるキーシート・モジュールが知られている。補強パネルは、キーシートの操作キーが配置された面と逆側からキーシートと重なるように配置される。更に、補強パネルは、操作キーが押し込まれる方向への操作キーの移動を許容するように形成された操作キー用貫通孔を有する。これにより、操作キーが押し込まれた場合のキーシート・モジュールの強度を高めることができる。
【０００３】
更に、この種のキーシート・モジュールの一つとして、特許文献１に記載のキーシート・モジュールは、発光ダイオードを備える。また、このキーシート・モジュールが備える補強パネルには、一方の面から見た場合に凹部となり且つ他方の面から見た場合に凸部となる窪み部が形成されている。
【０００４】
また、発光ダイオードは、上記窪み部に収容されるように配置されている。これによれば、発光ダイオードが発する光が補強パネルに入射する。この結果、補強パネルを発光させることができる。
【先行技術文献】
【特許文献】
【０００５】
【特許文献１】特開２００７−７３２３３号公報
【発明の概要】
【発明が解決しようとする課題】
【０００６】
ところで、上記キーシート・モジュールにおいては、補強パネルに凸部が形成されているので、キーシート・モジュールの厚さが比較的厚くなるという問題があった。また、補強パネルに窪み部が形成されることなく、補強パネルが構成する平面から発光ダイオードが離間して配置される場合も、キーシート・モジュールの厚さが比較的厚くなるという問題がある。
【０００７】
これに対し、補強パネルの側面に発光ダイオードを配置した場合、キーシート・モジュールを比較的薄くすることができる。しかしながら、この場合、補強パネルの中央部に光が到達しにくくなるため、発光ムラ（補強パネルの発光量が空間的に不均一となること）が発生しやすいという問題があった。
【０００８】
このように、上記キーシート・モジュールにおいては、キーシート・モジュールの厚さを比較的薄くしながら、発光ムラの発生を防止することができないという問題があった。
【０００９】
このため、本発明の目的は、上述した課題である「キーシート・モジュールの厚さを比較的薄くしながら、発光ムラの発生を防止することができないこと」を解決することが可能なキーシート・モジュールを提供することにある。
【課題を解決するための手段】
【００１０】
かかる目的を達成するため本発明の一形態であるキーシート・モジュールは、
操作キーを有するキーシートと、当該キーシートよりも高い剛性を有する平板状の補強パネルと、光を発する発光手段と、を備え、
上記補強パネルは、
上記キーシートの上記操作キーが配置された面と逆側から当該キーシートと重なるように配置されるとともに、上記操作キーが押し込まれる方向への当該操作キーの移動を許容する操作キー用貫通孔と、上記発光手段の少なくとも一部を収容する導光用貫通孔と、が形成される。
【００１１】
また、本発明の他の形態である補強パネルは、
操作キーを有するキーシートよりも高い剛性を有し、且つ、平板状であり、
上記キーシートの上記操作キーが配置された面と逆側から当該キーシートと重なるように配置されるとともに、上記操作キーが押し込まれる方向への当該操作キーの移動を許容する操作キー用貫通孔と、光を発する発光手段の少なくとも一部を収容する導光用貫通孔と、が形成される。
【００１２】
また、本発明の他の形態である電子機器は、
操作キーを有するキーシートと、当該キーシートよりも高い剛性を有する平板状の補強パネルと、光を発する発光手段と、を備えるキーシート・モジュールを有し、
上記補強パネルは、
上記キーシートの上記操作キーが配置された面と逆側から当該キーシートと重なるように配置されるとともに、上記操作キーが押し込まれる方向への当該操作キーの移動を許容する操作キー用貫通孔と、上記発光手段の少なくとも一部を収容する導光用貫通孔と、が形成される。
【００１３】
また、本発明の他の形態である導光方法は、
操作キーを有するキーシートと、当該キーシートよりも高い剛性を有する平板状の補強パネルと、光を発する発光手段と、を備えるとともに、
上記補強パネルが、上記キーシートの上記操作キーが配置された面と逆側から当該キーシートと重なるように配置され、
上記操作キーが押し込まれる方向への当該操作キーの移動を許容する操作キー用貫通孔と、上記発光手段の少なくとも一部を収容する導光用貫通孔と、が上記補強パネルに形成されたキーシート・モジュールに適用され、
上記発光手段が光を発し、
上記発光手段により発せられた光が、上記導光用貫通孔を形成する壁面から上記補強パネルに入射し、
上記補強パネルに入射した光が、当該補強パネル内を拡散する方法である。
【発明の効果】
【００１４】
本発明は、以上のように構成されることにより、厚さを薄くすることができるとともに、発光ムラの発生を抑制することができる。
【図面の簡単な説明】
【００１５】
【図１】本発明の第１実施形態に係る携帯電話機が備える第１の本体部の概略構成を表す図である。
【図２】図１のＩＩ−ＩＩ線により第１の本体部を切断した断面図である。
【図３】図２に示した補強パネルの正面図である。
【図４】第１の本体部から操作キー及びキーシートを取り外した分解図である。
【図５】図４のＶ−Ｖ線により補強パネル及び基板を切断した断面図である。
【図６】本発明の第２実施形態に係るキーシート・モジュールの断面図である。
【発明を実施するための形態】
【００１６】
以下、本発明に係る、キーシート・モジュール、補強パネル、電子機器、及び、導光方法、の各実施形態について図１〜図６を参照しながら説明する。
【００１７】
＜第１実施形態＞
図１に示したように、第１実施形態に係る電子機器としての携帯電話機は、操作キーを有する第１の本体部Ｃ１と、図示しないディスプレイを有する第２の本体部と、図示しないヒンジ部と、を備える。この携帯電話機は、折り畳み式の携帯電話機である。即ち、ヒンジ部は、第１の本体部Ｃ１と、第２の本体部と、を揺動可能に連結する。
【００１８】
なお、携帯電話機は、第１の本体部Ｃ１と、第２の本体部と、を平行に移動可能に構成されたスライド式の携帯電話機であってもよい。また、携帯電話機は、ディスプレイと操作キーとが１つの本体部に配置されたストレート式であってもよい。
【００１９】
第１の本体部Ｃ１は、図１のＩＩ−ＩＩ線により第１の本体部Ｃ１を切断した断面図である図２に示したように、キーシート・モジュール１を備える。
【００２０】
キーシート・モジュール１は、キーシート３と、補強パネル４と、基板５と、を備える。
【００２１】
キーシート３は、平板状の部材である。キーシート３は、長方形状である。キーシート３は、エラストマー（本例では、合成ゴム）からなる。キーシート３は、複数の操作キー２を有する。
【００２２】
各操作キー２は、平板状の部材である。各操作キー２は、長方形状である。各操作キー２は、合成樹脂からなる。複数の操作キー２は、図１に示したように、キーシート３の一方の面（操作キー配置面）上に格子状に配置されている。
【００２３】
また、キーシート３の操作キー配置面と逆側の面（凸部形成面）には、図２に示したように、複数の凸部３ａが形成されている。複数の凸部３ａは、複数の操作キー２に１つずつ対応付けられて配置されている。各凸部３ａは、対応する操作キー２と同軸に配置されている。
【００２４】
補強パネル４は、平板状の部材である。補強パネル４は、キーシート３と略同じ大きさを有する長方形状である。補強パネル４は、光を拡散し且つ光を透過する合成樹脂からなる。本例では、補強パネル４は、ポリカーボネートを主成分とする材料からなる。なお、補強パネル４は、ポリエチレンテレフタラートを主成分とする材料からなっていてもよい。
【００２５】
補強パネル４の厚さは、キーシート３よりも高い剛性を有するように設定される。補強パネル４は、図２に示したように、キーシート３の凸部形成面側（即ち、操作キー２が配置された面と逆側）からキーシート３と重なるように配置される。補強パネル４は、第１の本体部Ｃ１に支持される。
【００２６】
補強パネル４には、図３に示したように、複数の操作キー用貫通孔４ａと、複数の導光用貫通孔４ｂ，４ｃと、が形成されている。複数の操作キー用貫通孔４ａは、複数の操作キー２に１つずつ対応付けられて形成されている。各操作キー用貫通孔４ａは、正面視において、対応する操作キー２よりも僅かに小さい。各操作キー用貫通孔４ａは、対応する操作キー２と略同じ位置に配置されている。即ち、図２に示したように、各凸部３ａは、対応する操作キー用貫通孔４ａに１つずつ収容されている。
【００２７】
このような構成により、各操作キー２が押し込まれた場合、当該押し込まれた操作キー２、キーシート３及び凸部３ａは、操作キー用貫通孔４ａ内を、当該操作キー２が押し込まれる方向へ移動することができる。即ち、操作キー用貫通孔４ａは、操作キー２が押し込まれる方向への当該操作キー２の移動を許容するように形成されている、と言うことができる。
【００２８】
また、図３に示したように、複数の導光用貫通孔４ｂ，４ｃは、長方形状である。各導光用貫通孔４ｂは、複数の操作キー用貫通孔４ａに挟まれるように配置されている。また、各導光用貫通孔４ｃは、補強パネル４のうちの操作キー用貫通孔４ａが形成されていない領域内に配置されている。
【００２９】
補強パネル４のうちの、操作キー用貫通孔４ａ及び導光用貫通孔４ｂ，４ｃが形成されていない部分は、キーシート３と接している。即ち、補強パネル４は、キーシート３のうちの、操作キー２間の部分と接するように形成されている、と言うことができる。本例では、補強パネル４のうちのキーシート３と接する部分は、両面テープによりキーシート３に固着される。なお、補強パネル４は、接着剤によりキーシート３に固着されていてもよい。
【００３０】
基板５は、平板状の部材である。基板５は、キーシート３と略同じ大きさを有する長方形状である。基板５は、図２に示したように、補強パネル４の、補強パネル４がキーシート３と接する面と逆側から補強パネル４と重なるように配置される。基板５は、補強パネル４と微小な距離を隔てて配置される。基板５は、第１の本体部Ｃ１に支持される。
【００３１】
基板５は、複数のスイッチ素子５ａと、複数の発光ダイオード（発光手段）５ｂと、を備える。複数のスイッチ素子５ａは、図２、及び、第１の本体部Ｃ１から操作キー２及びキーシート３を取り外した分解図である図４に示したように、複数の操作キー２に１つずつ対応付けられて配置されている。各スイッチ素子５ａは、対応する操作キー２と同軸に配置されている。
【００３２】
各スイッチ素子５ａは、押圧されていない状態において電流を遮断し、押圧されている状態において電流を通電する素子である。各スイッチ素子５ａは、対応する操作キー２が押し込まれていない状態において、凸部３ａと微小な距離を隔てて配置される。各スイッチ素子５ａは、対応する操作キー２が押し込まれた場合に、凸部３ａによって押圧されることにより、電流を通電する。
【００３３】
各発光ダイオード５ｂは、通電された場合に光を発する整流素子である。複数の発光ダイオード５ｂは、図４に示したように、複数の導光用貫通孔４ｂ，４ｃに１つずつ対応付けられて配置されている。各発光ダイオード５ｂは、図４、及び、図４のＶ−Ｖ線により補強パネル４及び基板５を切断した断面図である図５に示したように、対応する導光用貫通孔４ｂ，４ｃに収容されている。
【００３４】
以上のように構成された携帯電話機の作動のうちの本発明に係る部分について説明する。携帯電話機が備える図示しない制御部は、所定の条件が成立した場合（例えば、操作キー２が操作された場合）、発光ダイオード５ｂに通電する旨を指示する制御信号を出力する。
【００３５】
これにより、発光ダイオード５ｂが通電される。その結果、発光ダイオード５ｂは、光を発する。そして、発光ダイオード５ｂにより発せられた光は、導光用貫通孔４ｂ，４ｃを形成する壁面から補強パネル４に入射する。その後、補強パネル４に入射した光は、補強パネル４内を拡散する。この結果、補強パネル４は、発光する。
【００３６】
以上、説明したように、本発明によるキーシート・モジュールの第１実施形態によれば、操作キー２が押し込まれた場合のキーシート・モジュール１の強度を高めることができる。更に、補強パネルに凸部が形成される場合、及び、補強パネルが構成する平面から発光手段（例えば、発光ダイオード等）が離間して配置される場合と比較して、キーシート・モジュール１の厚さを薄くすることができる。
【００３７】
更に、上記構成によれば、発光ダイオード５ｂが発した光は、導光用貫通孔４ｂ，４ｃを形成する壁面から補強パネル４に入射する。これにより、補強パネルが構成する平面から発光手段が離間して配置される場合よりも、補強パネル４に入射した光を補強パネル４内のより広い領域に拡散させることができる。この結果、補強パネル４をより均一に発光させることができる。即ち、発光ムラの発生を抑制することができる。
【００３８】
このように、上記構成によれば、キーシート・モジュール１の厚さを薄くすることができるとともに、発光ムラの発生を抑制することができる。
【００３９】
更に、上記第１実施形態において、補強パネル４は、光を拡散する部材からなる。
これによれば、発光ダイオード５ｂから補強パネル４に入射した光が、補強パネル４内で拡散されるので、発光ムラの発生をより一層抑制することができる。
【００４０】
加えて、上記第１実施形態において、補強パネル４は、光を透過する部材からなる。
これによれば、発光ダイオード５ｂから補強パネル４に入射した光を、補強パネル４内のより一層広い領域に拡散させることができる。この結果、補強パネル４の発光量をより大きくすることができる。
【００４１】
更に、上記第１実施形態において、補強パネル４は、キーシート３のうちの、操作キー２間の部分と接するように形成される。
これによれば、操作キー２が押し込まれた場合のキーシート・モジュール１の強度をより確実に高めることができる。
【００４２】
＜第２実施形態＞
次に、本発明の第２実施形態に係るキーシート・モジュールについて図６を参照しながら説明する。
第２実施形態に係るキーシート・モジュール１００は、操作キー１０１を有するキーシート１０２と、キーシート１０２よりも高い剛性を有する平板状の補強パネル１０３と、光を発する発光部（発光手段）１０４と、を備える。
【００４３】
補強パネル１０３は、キーシート１０２の操作キー１０１が配置された面と逆側からキーシート１０２と重なるように配置されるとともに、操作キー１０１が押し込まれる方向への操作キー１０１の移動を許容する操作キー用貫通孔１０３ａと、発光部１０４の少なくとも一部を収容する導光用貫通孔１０３ｂと、が形成される。
【００４４】
これによれば、操作キー１０１が押し込まれた場合のキーシート・モジュール１００の強度を高めることができる。更に、補強パネルに凸部が形成される場合、及び、補強パネルが構成する平面から発光手段（例えば、発光ダイオード等）が離間して配置される場合と比較して、キーシート・モジュール１００の厚さを薄くすることができる。
【００４５】
更に、上記構成によれば、発光部１０４が発した光は、導光用貫通孔１０３ｂを形成する壁面から補強パネル１０３に入射する。これにより、補強パネルが構成する平面から発光手段が離間して配置される場合よりも、補強パネル１０３に入射した光を補強パネル１０３内のより広い領域に拡散させることができる。この結果、補強パネル１０３をより均一に発光させることができる。即ち、発光ムラの発生を抑制することができる。
【００４６】
このように、上記構成によれば、キーシート・モジュール１００の厚さを薄くすることができるとともに、発光ムラの発生を抑制することができる。
【００４７】
この場合、上記補強パネルは、光を拡散する部材からなることが好適である。
これによれば、発光手段から補強パネルに入射した光が、補強パネル内で拡散されるので、発光ムラの発生をより一層抑制することができる。
【００４８】
この場合、上記補強パネルは、光を透過する部材からなることが好適である。
これによれば、発光手段から補強パネルに入射した光を、補強パネル内のより一層広い領域に拡散させることができる。この結果、補強パネルの発光量をより大きくすることができる。
【００４９】
この場合、上記キーシートは、上記操作キーを複数有し、
上記補強パネルは、上記キーシートのうちの、上記操作キー間の部分と接するように形成されることが好適である。
【００５０】
これによれば、操作キーが押し込まれた場合のキーシート・モジュールの強度をより確実に高めることができる。
【００５１】
この場合、上記補強パネルは、合成樹脂からなることが好適である。
【００５２】
この場合、上記補強パネルは、ポリカーボネートを主成分とする材料からなることが好適である。
【００５３】
この場合、上記補強パネルは、ポリエチレンテレフタラートを主成分とする材料からなることが好適である。
【００５４】
この場合、上記キーシートは、エラストマーからなることが好適である。
【００５５】
この場合、上記補強パネルは、両面テープにより上記キーシートに固着されることが好適である。
【００５６】
この場合、上記補強パネルは、接着剤により上記キーシートに固着されることが好適である。
【００５７】
また、本発明の他の形態である補強パネルは、
操作キーを有するキーシートよりも高い剛性を有し、且つ、平板状であり、
上記キーシートの上記操作キーが配置された面と逆側から当該キーシートと重なるように配置されるとともに、上記操作キーが押し込まれる方向への当該操作キーの移動を許容する操作キー用貫通孔と、光を発する発光手段の少なくとも一部を収容する導光用貫通孔と、が形成される。
【００５８】
この場合、上記補強パネルは、光を拡散する部材からなることが好適である。
【００５９】
この場合、上記補強パネルは、光を透過する部材からなることが好適である。
【００６０】
また、本発明の他の形態である電子機器は、
操作キーを有するキーシートと、当該キーシートよりも高い剛性を有する平板状の補強パネルと、光を発する発光手段と、を備えるキーシート・モジュールを有し、
上記補強パネルは、
上記キーシートの上記操作キーが配置された面と逆側から当該キーシートと重なるように配置されるとともに、上記操作キーが押し込まれる方向への当該操作キーの移動を許容する操作キー用貫通孔と、上記発光手段の少なくとも一部を収容する導光用貫通孔と、が形成される。
【００６１】
この場合、上記補強パネルは、光を拡散する部材からなることが好適である。
【００６２】
この場合、上記補強パネルは、光を透過する部材からなることが好適である。
【００６３】
また、本発明の他の形態である導光方法は、
操作キーを有するキーシートと、当該キーシートよりも高い剛性を有する平板状の補強パネルと、光を発する発光手段と、を備えるとともに、
上記補強パネルが、上記キーシートの上記操作キーが配置された面と逆側から当該キーシートと重なるように配置され、
上記操作キーが押し込まれる方向への当該操作キーの移動を許容する操作キー用貫通孔と、上記発光手段の少なくとも一部を収容する導光用貫通孔と、が上記補強パネルに形成されたキーシート・モジュールに適用される。
【００６４】
更に、この導光方法は、
上記発光手段が光を発し、
上記発光手段により発せられた光が、上記導光用貫通孔を形成する壁面から上記補強パネルに入射し、
上記補強パネルに入射した光が、当該補強パネル内を拡散する方法である。
【００６５】
上述した構成を有する、補強パネル、電子機器、又は、導光方法、の発明であっても、上記キーシート・モジュールと同様の作用を有するために、上述した本発明の目的を達成することができる。
【００６６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００６７】
例えば、上記第１実施形態において、補強パネル４には、複数の導光用貫通孔が形成されていたが、導光用貫通孔が１つだけ形成されていてもよい。また、上記第１実施形態に係るキーシート・モジュール１は、複数の操作キー２を備えていたが、操作キー２を１つだけ備えていてもよい。
【００６８】
また、上記第１実施形態において、電子機器は、携帯電話機であったが、パーソナル・コンピュータ、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、オーディオ装置、又は、ゲーム端末等の他の電子機器であってもよい。
【００６９】
また、上記実施形態の他の変形例として、上述した実施形態及び変形例の任意の組み合わせが採用されてもよい。
【産業上の利用可能性】
【００７０】
本発明は、押しボタン式のスイッチを有する電子機器等に適用可能である。
【符号の説明】
【００７１】
１      キーシート・モジュール
２      操作キー
３      キーシート
３ａ    凸部
４      補強パネル
４ａ    操作キー用貫通孔
４ｂ，４ｃ  導光用貫通孔
５      基板
５ａ    スイッチ素子
５ｂ    発光ダイオード
１００  キーシート・モジュール
１０１  操作キー
１０２  キーシート
１０３  補強パネル
１０３ａ  操作キー用貫通孔
１０３ｂ  導光用貫通孔
１０４  発光部
Ｃ１    第１の本体部
【図１】
0005440042.tif 000002
【図２】
0005440042.tif 000003
【図３】
0005440042.tif 000004
【図４】
0005440042.tif 000005
【図５】
0005440042.tif 000006
【図６】
0005440042.tif 000007